(57)【要約】【課題】ディスポーザの残留水量を低減し、残留水中の生ゴミから生じる悪臭を抑制することができるディスポーザ及び生ゴミ処理システムを提供する。【解決手段】ディスポーザ１は、破砕した生ゴミと水とを貯留槽１１に貯留する。貯留槽１１の底部１１１は、中央部に凹部１１ｂが形成してあり、凹部１１ｂの上端周縁にすり鉢状の傾斜面１１ａが形成してある。また、凹部１１ｂ内に水中ポンプ１３の吸入口１３ａが配されている。傾斜面１１ａによって貯留槽１１内の生ゴミ及び水は凹部１１ｂに流入し、水中ポンプ１３の作動によって凹部１１ｂ内の生ゴミ及び水が吸入口１３ａから吸入されて生ゴミ処理装置の処理槽へ吐出されるため、ディスポーザの残留水量が低減され、残留水中の生ゴミ量も低減され、この結果、残留水中の生ゴミから生じる悪臭が抑制される。【選択図】図２
2007196113.tif 000002
【特許請求の範囲】
【請求項１】
投入された生ゴミを破砕し、破砕した生ゴミを、水と共に外部へ吐出するディスポーザであって、
底部に凹部が形成してあり、破砕した生ゴミ及び水を貯留する貯留槽と、
該貯留槽に貯留された生ゴミ及び水を吸入口から吸入して外部へ吐出すべく、前記凹部に前記吸入口が配されているポンプと
を備えることを特徴とするディスポーザ。
【請求項２】
投入された生ゴミを破砕し、破砕した生ゴミを、水と共に外部へ吐出するディスポーザであって、
破砕した生ゴミ及び水を貯留する貯留槽と、
該貯留槽に貯留された生ゴミ及び水を吸入口から吸入して外部へ吐出すべく、前記吸入口を前記貯留槽の底部側に向け、ポンプ軸方向が水平面に対して傾斜するよう前記貯留槽の底部に配されているポンプと
を備えることを特徴とするディスポーザ。
【請求項３】
前記底部は逆錐状の傾斜面を有することを特徴とする請求項１又は２に記載のディスポーザ。
【請求項４】
微生物が混入された水を収容する水槽へ投入された生ゴミを前記微生物によって分解処理する生ゴミ処理装置と、
投入された生ゴミを破砕し、破砕した生ゴミを、水と共に前記水槽へ投入するディスポーザと
を備える生ゴミ処理システムであって、
前記ディスポーザは、請求項１乃至３の何れかひとつに記載のディスポーザであることを特徴とする生ゴミ処理システム。
【発明の詳細な説明】
【技術分野】
【０００１】
本発明は、生ゴミを破砕するディスポーザ、及びディスポーザが破砕した生ゴミを微生物によって湿式の生ゴミ処理装置で分解処理する生ゴミ処理システムに関する。
【背景技術】
【０００２】
湿式の生ゴミ処理装置は、水槽の水に微生物を混入させて、生ゴミを水、二酸化炭素等に分解処理するための処理水となし、この処理水の中に生ゴミを投入して水中ポンプで処理水を循環させて攪拌することによって、微生物に生ゴミを分解させる（特許文献１参照）。
【０００３】
生ゴミの分解効率を向上させるために、生ゴミ処理装置の使用者は、水槽に投入する生ゴミを予め裁断、破砕等しておく必要がある。また、裁断、破砕等された生ゴミを水槽の投入口から投入する必要もある。
【０００４】
生ゴミの裁断、破砕等と水槽への投入とを自動化するために、生ゴミを破砕して水と共に生ゴミ処理装置の水槽へ投入するディスポーザを用いることが考えられる。
【０００５】
図４は、従来の生ゴミ処理システムの構成を示す部分透視側面図である。この生ゴミ処理システムは、生ゴミ処理装置２とディスポーザ４とを備える。
ディスポーザ４は、生ゴミを破砕するための破砕部４４と、破砕部４４で破砕された生ゴミ及び水道水を貯留する貯留槽４１とを備える。
貯留槽４１は平面状の底部４１１を有し、底部４１１に、水中ポンプ４３が立設してある。水中ポンプ４３は、底部４１１に立設するための脚部を有する底面に、図示しない吸入口が開口している。
【０００６】
水中ポンプ４３は、貯留槽４１の水位が所定の第１水位以上の場合に作動することによって、貯留槽４１に貯留された生ゴミ及び水道水を吸入口から吸入し、生ゴミ処理装置２へ吐出する。また、水中ポンプ４３は、貯留槽４１の水位が第１水位よりも低い所定の第２水位以下の場合に作動停止するように構成してある。この第２水位は、水中ポンプ４３の空運転を防止するために、吸入口の高さ（即ち吸入口の開口周縁の底部４１１からの高さ）よりも高い水位とされる。この吸入口の高さは、水中ポンプ４３の脚部の高さに略等しい。
生ゴミ処理装置２においては、ディスポーザ４から水道水と共に投入された生ゴミが、微生物によって分解処理される。
【特許文献１】特開２０００−３５４８９８号公報
【発明の開示】
【発明が解決しようとする課題】
【０００７】
ディスポーザ４は、貯留槽４１の水位が第２水位以下になった場合に作動停止するため、貯留槽４１には、例えば図４においては、最低でも吸入口の高さに略等しい水位Ｗを有する水道水が残留し、残留した水道水には生ゴミが含まれる。
貯留槽４１に残留した生ゴミは、腐敗し、悪臭を発生する。この悪臭を抑制するためには、貯留槽４１に残留する生ゴミ（以下、残留生ゴミという）の量を低減する必要がある。
【０００８】
貯留槽４１の残留生ゴミを低減すべく、水中ポンプ４３の空運転を防止しつつ第２水位を低く設定して、貯留槽４１に残留する水道水（以下、残留水という）を低減することによって、残留水に含まれる生ゴミを低減することが考えられる。
【０００９】
この第２水位は、吸入口の高さよりも高い必要がある。このため、吸入口の高さを低くすべく、水中ポンプ４３よりも脚部が短い水中ポンプを用いることが考えられる。しかしながら、この場合は水中ポンプ４３の形状が限定され、しかも吸入口と底部４１１とが過剰に接近するため、吸入口からの水道水及び生ゴミの吸入が阻害されることがある。
又は、水中ポンプ４３の吸入口に吸入用のパイプの一端を連結し、パイプの他端を底部４１１に近接させることが考えられる。しかしながら、この場合は吸入用のパイプを準備し、吸入口に連結させる手間及びコストを要する。また、残留水の深さは低減されても、貯留槽４１の水平面積が大きいため、残留水量が十分に低減されない。
【００１０】
本発明は斯かる事情に鑑みてなされたものであり、その主たる目的は、ポンプの吸入口を、貯留槽の底部の凹部に配してあることにより、貯留槽の残留水量を低減し、残留水中の生ゴミから生じる悪臭を抑制することができるディスポーザ及び生ゴミ処理システムを提供することにある。
【００１１】
本発明の他の目的は、ポンプの吸入口を貯留槽の底部側に向けてポンプを傾斜させてあることにより、貯留槽の残留水量を低減し、残留水中の生ゴミから生じる悪臭を抑制することができるディスポーザ及び生ゴミ処理システムを提供することにある。
【００１２】
本発明の更に他の目的は、貯留槽の底部に逆錐状の傾斜面が形成してあることにより、貯留槽の残留水量及び残留生ゴミ量を更に低減することができるディスポーザを提供することにある。
【課題を解決するための手段】
【００１３】
本発明に係るディスポーザは、投入された生ゴミを破砕し、破砕した生ゴミを、水と共に外部へ吐出するディスポーザであって、底部に凹部が形成してあり、破砕した生ゴミ及び水を貯留する貯留槽と、該貯留槽に貯留された生ゴミ及び水を吸入口から吸入して外部へ吐出すべく、前記凹部に前記吸入口が配されているポンプとを備えることを特徴とする。
【００１４】
本発明に係るディスポーザは、投入された生ゴミを破砕し、破砕した生ゴミを、水と共に外部へ吐出するディスポーザであって、破砕した生ゴミ及び水を貯留する貯留槽と、該貯留槽に貯留された生ゴミ及び水を吸入口から吸入して外部へ吐出すべく、前記吸入口を前記貯留槽の底部側に向け、ポンプ軸方向が水平面に対して傾斜するよう前記貯留槽の底部に配されているポンプとを備えることを特徴とする。
【００１５】
本発明に係るディスポーザは、前記底部は逆錐状の傾斜面を有することを特徴とする。
【００１６】
本発明に係る生ゴミ処理システムは、微生物が混入された水を収容する水槽へ投入された生ゴミを前記微生物によって分解処理する生ゴミ処理装置と、投入された生ゴミを破砕し、破砕した生ゴミを、水と共に前記水槽へ投入するディスポーザとを備える生ゴミ処理システムであって、前記ディスポーザは、本発明のディスポーザであることを特徴とする。
【発明の効果】
【００１７】
本発明のディスポーザ及び生ゴミ処理システムによる場合、ディスポーザのポンプの吸入口を、貯留槽の底部の凹部に配する。
ディスポーザは、ディスポーザに投入された生ゴミを破砕し、破砕された生ゴミと水とを貯留槽に貯留する。
ディスポーザのポンプが、貯留槽に貯留された生ゴミ及び水を吸入口から吸入してディスポーザ外部、具体的には生ゴミ処理装置の水槽へ吐出することによって、ディスポーザは、破砕した生ゴミを、水と共に生ゴミ処理装置の水槽へ投入する。
【００１８】
貯留槽の底部には凹部が形成してあるため、破砕された生ゴミと水とは、この凹部に貯留され易い。しかも、この凹部にディスポーザのポンプの吸入口が配してあるため、貯留槽に残留する水（残留生ゴミを含んだ残留水）の水位を凹部の深さ以下の水位に低減することができる。
貯留槽の底部に形成された凹部の水平面積は、貯留槽の底部全体の水平面積よりも狭いため、凹部に残留する水及び生ゴミの量は、残留水の水位が等しい場合、凹部が形成されていない貯留槽の底部に残留する水及び生ゴミの量よりも少ない。しかも、残留水の水面の面積も狭い。
以上の結果、残留生ゴミ、特に残留水の水面付近に位置する残留生ゴミの量が低減され、残留生ゴミによる悪臭を抑制することができる。
【００１９】
また、ディスポーザ内の残留生ゴミを低減することによって、ディスポーザに投入された生ゴミを、確実に生ゴミ処理装置の水槽に投入することができる。
生ゴミ処理装置は、微生物が混入された水を水槽に収容しており、ディスポーザによって水槽に投入された生ゴミは、水槽内で微生物によって分解処理される。
【００２０】
ディスポーザのポンプは、ポンプの吸入口を貯留槽の底部の凹部に配することができれば、ポンプの種類、形状、配置等を問わない。例えばポンプ自体を貯留槽の凹部内に配置してもよく、ポンプ本体を凹部外に配置し、ポンプ本体に一端が連結されたパイプの他端開口（即ち吸入口）を凹部内に配置してもよい。
【００２１】
また、本発明のディスポーザによる場合、貯留槽の底部に逆錐状の傾斜面が形成してある。
この傾斜面が貯留槽底部の凹部内に形成してあるとき、逆錐状の凹部の体積は柱状の凹部の体積よりも小さいため、凹部の残留水及び残留生ゴミを更に低減することができる。
一方、この傾斜面が貯留槽底部の凹部外に形成してあるとき、凹部を逆錐の底側（錐の頂側）に配置することによって、貯留槽底部が漏斗状になり、貯留槽に貯留される水及び生ゴミが凹部に流入し易くなる。このため、凹部の外部に水及び／又は生ゴミが残留することを更に抑制することができ、この結果、貯留槽の残留水及び残留生ゴミを更に低減することができる。
【００２２】
本発明のディスポーザ及び生ゴミ処理システムによる場合、ディスポーザのポンプの吸入口を、貯留槽の底部側に向け、ポンプ軸方向が水平面に対して傾斜するようにして、ポンプを貯留槽の底部に配する。
ディスポーザは、ディスポーザに投入された生ゴミを破砕し、破砕された生ゴミと水とを貯留槽に貯留する。
ディスポーザのポンプが、貯留槽に貯留された生ゴミ及び水を吸入口から吸入してディスポーザ外部、具体的には生ゴミ処理装置の水槽へ吐出することによって、ディスポーザは、破砕した生ゴミを、水と共に生ゴミ処理装置の水槽へ投入する。
【００２３】
例えばポンプの吸入口がポンプ側部に開口している場合、傾斜させてあるポンプの吸入口は、傾斜させていないポンプの吸入口よりも低い位置に配される。このため、ポンプを傾斜させていない場合よりも、貯留槽に残留する水（残留生ゴミを含んだ残留水）の水位を低減することができる。
以上の結果、残留水に含まれる残留生ゴミ量が低減され、残留生ゴミによる悪臭を抑制することができる。
【００２４】
また、ディスポーザ内の残留生ゴミを低減することによって、ディスポーザに投入された生ゴミを、確実に生ゴミ処理装置の水槽に投入することができる。
生ゴミ処理装置は、微生物が混入された水を水槽に収容しており、ディスポーザによって水槽に投入された生ゴミは、水槽内で微生物によって分解処理される。
【００２５】
また、本発明のディスポーザによる場合、貯留槽の底部に逆錐状の傾斜面が形成してある。
傾斜面を有する底部の体積は傾斜面を有しない底部の体積よりも小さいため、底部の残留水及び残留生ゴミを更に低減することができる。
また、例えばポンプの吸入口がポンプ側部に開口している場合でもポンプ底部に開口している場合でも、吸入口が底部側に向けられているため、ポンプの吸入口と貯留槽底部との離隔距離を低減して、残留水及び残留生ゴミを低減することができる。
【００２６】
以上のようなディスポーザ及び生ゴミ処理システムは、残留水及び残留生ゴミを低減することによって、害虫、雑菌等の繁殖を抑制することができるため、衛生的である。
【発明を実施するための最良の形態】
【００２７】
以下、本発明を、その実施の形態を示す図面に基づいて詳述する。
【００２８】
実施の形態  １．
図１は、本発明の実施の形態１に係る生ゴミ処理システム３の構成を示す側面図である。生ゴミ処理システム３は業務用の生ゴミ処理システムであり、夫々地面に設置されたディスポーザ１と生ゴミ処理装置２とを備える。
図２は、ディスポーザ１の構成を示す部分透視側面図である。ディスポーザ１は、生ゴミを破砕するための破砕部１４と、破砕された生ゴミを生ゴミ処理装置２へ投入する前に一時的に貯留するための貯留槽１１とを並設してなる。
【００２９】
破砕部１４は、生ゴミを破砕するカッター部とカッター部を駆動するモータとを備える破砕機１４０を内蔵している。生ゴミは、破砕部１４上部の投入口１４１から破砕機１４０内へ水道水と共に投入され、投入された生ゴミは破砕機１４０で約５ｍｍ角未満のサイズに破砕される。破砕された生ゴミは、破砕機１４０と貯留槽１１とを連結する連結パイプ１４２を介して、水道水と共に貯留槽１１に流出する。連結パイプ１４２の貯留槽１１側の端部は、貯留槽１１の高さ方向中央部に配置されている。
【００３０】
貯留槽１１は、底部１１１が平面状ではなく、底部１１１中央部に凹部１１ｂを有し、凹部１１ｂの上周縁と貯留槽１１側壁との間は、すり鉢状（逆円錐状）の傾斜面１１ａとなっている。このため、底部１１１は全体として漏斗状の形状となっている。
【００３１】
底部１１１の最下面である凹部１１ｂ底面は平面であり、この凹部１１ｂ底面に、水中ポンプ１３が立設してある。水中ポンプ１３の底面には、夫々凹部１１ｂの深さよりも短い複数本の脚部１３２，１３２，…が設けられ、水中ポンプ１３底面と凹部１１ｂ底面とを適長離隔させている。
また、水中ポンプ１３底面には吸入口１３ａが開口している。吸入口１３ａの高さは脚部１３２，１３２，…の高さに略等しく、このため吸入口１３ａは凹部１１ｂ内に配置されている。
水中ポンプ１３は、貯留槽１１、更に詳細には凹部１１ｂに貯留された水道水及びこの水道水に含まれる生ゴミを吸入口１３ａから吸入し、吐出パイプ１３１を介してディスポーザ１外部へ吐出する。
【００３２】
更に貯留槽１１内には、フローティングスイッチ１６１，１６２が配されている。フローティングスイッチ１６１は貯留槽１１の高さ方向中央部に配され、貯留槽１１の水位が第１所定水位（例えば連結パイプ１４２の貯留槽１１側の端部の高さ）以上になった場合に水中ポンプ１３をオン状態にするよう構成されている。一方、フローティングスイッチ１６２は凹部１１ｂ上端近傍に配され、貯留槽１１の水位が第１所定水位より低い第２所定水位になった場合に水中ポンプ１３をオフ状態にするよう構成されている。この第２所定水位は、具体的には凹部１１ｂ上端高さ以下かつ吸入口１３ａの高さ超過の適宜な水位である。
【００３３】
生ゴミ処理装置２は公知の湿式の生ゴミ処理装置であり、処理槽２１を備える。処理槽２１は、微生物が混入された水（処理水）を収容する水槽であり、この処理槽２１とディスポーザ１の貯留槽１１とが投入パイプ２０を介して連結されている。投入パイプ２０のディスポーザ１側の端部は、破砕された生ゴミを含む水道水が水中ポンプ１３側へ逆流することを防止する逆止弁２０ａを介在して水中ポンプ１３の吐出パイプ１３１に連結されており、投入パイプ２０の生ゴミ処理装置２側の端部は処理槽２１の側面上部に連結されている。
【００３４】
以上のような生ゴミ処理システム３を用いる場合、投入口１４１から生ゴミ及び水道水が投入されて、投入された生ゴミが破砕機１４０によって破砕され、破砕された生ゴミと投入口１４１から投入された水道水とが連結パイプ１４２を介して貯留槽１１へ流入し、貯留槽１１の水位が第１所定水位になるまで貯留槽１１に貯留される。
【００３５】
破砕部１４から貯留槽１１へ生ゴミ及び水道水が流入することによって、貯留槽１１内の水位が上昇する。そして、貯留槽１１の水位が第１所定水位以上になった場合、即ち貯留槽１１内に適量の生ゴミ及び水道水が貯留された場合、フローティングスイッチ１６１によって水中ポンプ１３が作動して、貯留槽１１の凹部１１ｂ内の水道水及び生ゴミが吸入口１３ａから吸入されて、吐出パイプ１３１、逆止弁２０ａ及び投入パイプ２０を通過して処理槽２１へ連続的に吐出される。ここで、吸入口１３ａと凹部１１ｂ底面とは脚部１３２，１３２，…によって適長離隔されているため、吸入口１３ａからの水道水及び生ゴミの吸入が阻害されることはない。
【００３６】
以上のようにしてディスポーザ１は、破砕した生ゴミを生ゴミ処理装置２の処理槽２１へ投入する。
処理槽２１内では、ディスポーザ１から投入された生ゴミ及び水道水が処理水と混合され、この処理水中に含まれる微生物によって生ゴミが分解処理される。
【００３７】
破砕部１４から貯留槽１１への生ゴミ及び水道水の流入が終了し、また、水中ポンプ１３が作動することによって、貯留槽１１内の水位が下降する。このとき、底部１１１の傾斜面１１ａに沿って貯留槽１１内の生ゴミ及び水道水が凹部１１ｂへ自然と流入する。
そして、貯留槽１１の水位が第２所定水位以下になった場合、フローティングスイッチ１６２によって水中ポンプ１３が作動停止する。このとき、貯留槽１１の残留水及び残留水に含まれる残留生ゴミは凹部１１ｂ内に存在するため、残留水量及び残留生ゴミ量が低減されている。
【００３８】
以上のようなディスポーザ１は、傾斜面１１ａ及び凹部１１ｂによって、貯留槽１１の貯留量を過剰に制限することなく、水道水及び生ゴミが残留し得る体積を低減させ、しかも残留水の水面の面積を低減させている。更に、凹部１１ｂに水中ポンプ１３を設置することによって、凹部１１ｂ内の水中ポンプ１３の体積分だけ凹部１１ｂ内の残留水量及び残留生ゴミ量を低減させている。
残留生ゴミ量の低減、及び残留生ゴミが浮遊する残留水の水面の面積の低減の結果、ディスポーザ１は残留生ゴミの悪臭を抑制することができる。
【００３９】
また、フローティングスイッチ１６２は、水中ポンプ１３の作動によって水位が過剰に低下し水中ポンプ１３が空運転されることを防止している。
【００４０】
なお、凹部１１ｂ内に吸入口１３ａが配置可能であれば、凹部１１ｂ内もすり鉢状に形成してもよい。また、吸入口が側部に開口している水中ポンプを用いてもよい。
更に、凹部１１ｂ内に水中ポンプ１３を配しない構成でもよい。この場合は、例えば凹部１１ｂ外又は貯留槽１１外にポンプを設置し、設置したポンプに延長パイプの一端を連結させ、延長パイプの他端開口を吸入口として凹部１１ｂ内に配する。
【００４１】
実施の形態  ２．
図３は、本発明の実施の形態２に係るディスポーザ１の構成を示す部分透視側面図である。本実施の形態のディスポーザ１は、実施の形態１の貯留槽１１の代わりに、貯留槽１２を備える。
破砕機１４０によって破砕された生ゴミは、破砕機１４０と貯留槽１２とを連結する連結パイプ１４２を介して、水道水と共に貯留槽１２に流出する。連結パイプ１４２の貯留槽１２側の端部は、貯留槽１２の高さ方向中央部に配置されている。
貯留槽１２は、底部１２１が平面状ではなく、すり鉢状（逆円錐状）の傾斜面１２ａとなっている。
【００４２】
水中ポンプ１５は、複数本の脚部１５２，１５２，…を底面に有し、更に底面には吸入口１５ａが開口している。
この水中ポンプ１５は、すり鉢状の底部１２１に、水中ポンプ１５のポンプ軸方向が水平面に対して傾斜（具体的には傾斜面１２ａの一側に沿うように傾斜）し、かつ、吸入口１５ａが底部１２１側（具体的には傾斜面１２ａの他側）に対面するよう設置されている。
【００４３】
図３中の水中ポンプ１５は、水中ポンプ１５側部が傾斜面１２ａの一側に、脚部１５２が底部１２１最下部に、夫々接触するように配されているが、この場合、他の脚部１５２，１５２，…が浮くため、脚部１５２，１５２，…が傾斜面１２ａに接触するように、例えば傾斜面１２ａの形状を工夫してもよい。
【００４４】
水中ポンプ１５は、貯留槽１２に貯留された水道水及びこの水道水に含まれる生ゴミを吸入口１５ａから吸入して、吐出パイプ１５１を介してディスポーザ１外部へ吐出する。
【００４５】
更に貯留槽１２内には、フローティングスイッチ１６３，１６４が配されている。フローティングスイッチ１６３は貯留槽１２の高さ方向中央部に配され、貯留槽１２の水位が第１所定水位以上になった場合に水中ポンプ１５をオン状態にするよう構成されている。一方、フローティングスイッチ１６４は底部１２１近傍に配され、貯留槽１２の水位が第１所定水位より低い第３所定水位になった場合に水中ポンプ１５をオフ状態にするよう構成されている。ただし、第３所定水位は、吸入口１５ａの上端高さよりも高い位置である。
【００４６】
投入パイプ２０のディスポーザ１側の端部は、逆止弁２０ａを介在して水中ポンプ１５の吐出パイプ１５１に連結されている。
【００４７】
以上のような生ゴミ処理システム３を用いる場合、投入口１４１から生ゴミ及び水道水が投入されて、投入された生ゴミが破砕機１４０によって破砕され、破砕された生ゴミと投入口１４１から投入された水道水とが連結パイプ１４２を介して貯留槽１２へ流入し、貯留槽１２の水位が第１所定水位になるまで貯留槽１２に貯留される。
【００４８】
破砕部１４から貯留槽１２へ生ゴミ及び水道水が流入することによって、貯留槽１２内の水位が上昇する。そして、貯留槽１２の水位が第１所定水位以上になった場合、即ち貯留槽１２内に適量の生ゴミ及び水道水が貯留された場合、フローティングスイッチ１６３によって水中ポンプ１５が作動して、貯留槽１２内の水道水及び生ゴミが吸入口１５ａから吸入されて、吐出パイプ１５１、逆止弁２０ａ及び投入パイプ２０を通過して処理槽２１へ連続的に吐出される。以上のようにしてディスポーザ１は、破砕した生ゴミを生ゴミ処理装置２の処理槽２１へ投入する。
処理槽２１内では、ディスポーザ１から投入された生ゴミ及び水道水が処理水と混合され、この処理水中に含まれる微生物によって生ゴミが分解処理される。
【００４９】
破砕部１４から貯留槽１２への生ゴミ及び水道水の流入が終了し、また、水中ポンプ１５が作動することによって、貯留槽１２内の水位が下降する。
そして、貯留槽１２の水位が第３所定水位以下になった場合、フローティングスイッチ１６４によって水中ポンプ１５が作動停止する。
【００５０】
以上のようなディスポーザ１は、底部１２１に設けられた傾斜面１２ａによって、貯留槽１２の貯留量を過剰に制限することなく、底部１２１の水道水及び生ゴミが残留する体積及び残留水の水面の面積を低減させている。更に、底部１２１に水中ポンプ１５を設置することによって、水中ポンプ１５の体積分だけ残留水量及び残留生ゴミ量を低減させている。
残留生ゴミ量の低減、及び残留生ゴミが浮遊する残留水の水面の面積の低減の結果、ディスポーザ１は残留生ゴミの悪臭を抑制することができる。
【００５１】
また、フローティングスイッチ１６４は、水中ポンプ１５の作動によって水位が過剰に低下し水中ポンプ１５が空運転されることを防止している。
更に、水中ポンプ１５を傾斜させることによって、傾斜面１２ａを有する底部１２１に水中ポンプ１５を安定して設置している。
【００５２】
その他、実施の形態１に対応する部分には同一符号を付してそれらの説明を省略する。
【図面の簡単な説明】
【００５３】
【図１】本発明の実施の形態１に係る生ゴミ処理システムの構成を示す側面図である。
【図２】本発明の実施の形態１に係るディスポーザの構成を示す部分透視側面図である。
【図３】本発明の実施の形態２に係るディスポーザの構成を示す部分透視側面図である。
【図４】従来の生ゴミ処理システムの構成を示す部分透視側面図である。
【符号の説明】
【００５４】
１    ディスポーザ
１１，１２  貯留槽
１１１，１２１  底部
１１ａ，１２ａ  傾斜面
１１ｂ  凹部
１３，１５  水中ポンプ（ポンプ）
１３ａ，１５ａ  吸入口
２    生ゴミ処理装置
２１  処理槽（水槽）
３    生ゴミ処理システム
【図１】
2007196113.tif 000003
【図２】
2007196113.tif 000004
【図３】
2007196113.tif 000005
【図４】
2007196113.tif 000006